(57)【特許請求の範囲】
【請求項１】
吸水材のみで構成されフラワーアレンジメントに用いられる保持ブロックであって、前記保持ブロックは、底面と上面及び側面からなる円柱形状であり、
前記上面と側面の間に全域にわたり傾斜側面を形成し、前記上面及び傾斜側面に花材を挿すための複数の位置マークを形成し、
前記位置マークは、上面の中心に設けた位置マークと、前記上面の中心の位置マークを中心とした上面の円上に等間隔に配置した位置マークと、前記傾斜側面全周に交互に等間隔に配置した２種類の位置マークとからなり、前記上面の円上に配置した位置マークと前記傾斜側面に配置した位置マークは、それぞれ前記上面の中心に設けた位置マークを中心とした点対称の位置に配置したことを特徴とするリハビリ用のフラワーアレンジメント用の保持ブロック。  
【請求項２】
吸水材のみで構成されフラワーアレンジメントに用いられる保持ブロックであって、前記保持ブロックは、底面と上面及び側面からなる円柱形状であり、
前記上面と側面の間に全域にわたり上部傾斜側面を形成し、前記上面及上部傾斜側面に花材を挿すための複数の位置マークを形成し、
前記位置マークは、上面の中心に設けた位置マークと、前記上面の中心の位置マークを中心とした上面の円上に等間隔に配置した位置マークと、前記上部傾斜側面全周に交互に等間隔に配置した２種類の位置マークとからなり、前記上面の円上に配置した位置マークと前記上部傾斜側面に配置した位置マークは、それぞれ前記上面の中心に設けた位置マークを中心とした点対称の位置に配置されていて、
さらに前記底面と側面の間に全域にわたり下部傾斜側面を形成し、前記底面及び下部傾斜側面に花材を挿すための複数の位置マークを形成し、
前記位置マークは、底面の中心に設けた位置マークと、前記底面の中心の位置マークを中心とした底面の円上に等間隔に配置した位置マークと、前記下部傾斜側面全周に交互に等間隔に配置した２種類の位置マークとからなり、前記底面の円上に配置した位置マークと前記下部傾斜側面に配置した位置マークは、それぞれ前記底面の中心に設けた位置マークを中心とした点対称の位置に配置されていることを特徴とするリハビリ用のフラワーアレンジメント用の保持ブロック。  
【発明の詳細な説明】
【技術分野】
【０００１】
本発明は、フラワーアレンジメントに用いられる保持ブロックであり、特に、初心者でも容易にフラワーアレンジメントができ、あるいは身体障害者や高齢者の運動能力や体力の回復用として用いることのできるリハビリ用のフラワーアレンジメント用の保持ブロックに関する。
【背景技術】
【０００２】
従来より、発泡合成樹脂製等の吸水材に花材を挿して楽しむフラワーアレンジメントがあった。このフラワーアレンジメントには、例えば特許文献１に記載されたような花を挿す保持ブロックを使用していた。
【先行技術文献】
【特許文献】
【０００３】
【特許文献１】特許第５２０１５５２号公報
【０００４】
特許文献１記載の保持ブロックは、吸水材のみで構成され、複数の平面を有する多面体で形成される保持ブロックであり、前記保持ブロックの多面体の平面に多数の花材を挿すための複数の位置マークを適宜間隔を持って形成し、前記多数の花材を位置マークの位置に平面に直角もしくは直角に近い角度となるように挿して配置保持するものである。
【発明の概要】
【発明が解決しようとする課題】
【０００５】
前記特許文献１記載の保持ブロックは、複数の平面を有する多面体で形成されているため、花材を位置マークに挿していくと他の位置マークが花材に隠れて４個の立面の上部の位置マークが見えにくくなり花材を挿しにくくなるという問題点があった。
また前記保持ブロックは、主としてフラワーアレンジメントの経験者を対象として使用されるもので、初心者や高齢者あるいは身体障害者のように運動能力や体力の少ない人には使いにくいという問題点もあった。
【０００６】
本発明は、このような問題に鑑みてなされたものであって、簡単な構成でありながらフラワーアレンジメントを容易に楽しめると共に、特に身体障害者や高齢者のように運動能力や体力の少ない人たちのリハビリ用として使用できるものである。
【課題を解決するための手段】
【０００７】
請求項１に記載の発明は、吸水材のみで構成されフラワーアレンジメントに用いられる保持ブロックであって、前記保持ブロックは、底面と上面及び側面からなる円柱形状であり、前記上面と側面の間に全域にわたり傾斜側面を形成し、前記上面及び傾斜側面に花材を挿すための複数の位置マークを形成し、前記位置マークは、上面の中心に設けた位置マークと、前記上面の中心の位置マークを中心とした上面の円上に等間隔に配置した位置マークと、傾斜側面全周に交互に等間隔に配置した２種類の位置マークとからなり、前記上面の円上に配置した位置マークと傾斜側面に配置した位置マークは、それぞれ上面の中心に設けた位置マークを中心とした点対称の位置に配置したことを特徴とするリハビリ用のフラワーアレンジメント用の保持ブロックである。
【０００８】
請求項２に記載の発明は、吸水材のみで構成されフラワーアレンジメントに用いられる保持ブロックであって、前記保持ブロックは、底面と上面及び側面からなる円柱形状であり、前記上面と側面の間に全域にわたり上部傾斜側面を形成し、前記上面及上部傾斜側面に花材を挿すための複数の位置マークを形成し、前記位置マークは、上面の中心に設けた位置マークと、前記上面の中心の位置マークを中心とした上面の円上に等間隔に配置した位置マークと、上部傾斜側面全周に交互に等間隔に配置した２種類の位置マークとからなり、前記上面の円上に配置した位置マークと上部傾斜側面に配置した位置マークは、それぞれ上面の中心に設けた位置マークを中心とした点対称の位置に配置されていて、さらに前記底面と側面の間に全域にわたり下部傾斜側面を形成し、前記底面及び下部傾斜側面に花材を挿すための複数の位置マークを形成し、前記位置マークは、底面の中心に設けた位置マークと、前記底面の中心の位置マークを中心とした底面の円上に等間隔に配置した位置マークと、下部傾斜側面全周に交互に等間隔に配置した２種類の位置マークとからなり、前記底面の円上に配置した位置マークと下部傾斜側面に配置した位置マークは、それぞれ底面の中心に設けた位置マークを中心とした点対称の位置に配置されていることを特徴とするリハビリ用のフラワーアレンジメント用の保持ブロックである。
【発明の効果】
【００１１】
請求項１記載のリハビリ用のフラワーアレンジメント用の保持ブロックは、底面と上面及び側面からなる円柱形状であり、上面と側面の間に全域にわたり傾斜側面を形成し、前記上面と傾斜側面上に花材を挿すための複数の位置マークを形成したため、周囲のあらゆる場所からも位置マークが見えるため位置マークの死角がなくなり、花材を挿しやすくかつ治療効果の向上が期待できる。  
また、円柱形状であるため円形の容器に入れた保持ブロックに水を補給するときに、容器と保持ブロックの間隙が少ないため水の補給が効率よく行われる等の効果を奏する。
【００１２】
請求項２記載のリハビリ用のフラワーアレンジメント用の保持ブロックは、底面と上面及び側面からなる円柱形状であり、上面と側面の間に全域にわたり上部傾斜側面を形成し、前記上面と上部傾斜側面上に花材を挿すための複数の位置マークを形成し、さらに底面と側面の間に全域にわたり下部傾斜側面を形成したため、上部傾斜側面上及び下部傾斜側面上の位置マークは、作業者が保持ブロックの周囲のどの位置からも見やすく花材を挿しやすいというメリットがあると共に、保持ブロックを倒置して使用することができるため、資源の節約あるいは経費や収納スペースの節約になるという効果を奏する。
【図面の簡単な説明】
【００１５】
【図１】本発明の実施形態１の斜視図
【図２】本発明の実施形態１の使用態様図
【図３】本発明の実施形態１の正面図
【図４】本発明の実施形態１の平面図
【図５】本発明の実施形態１の右側面図
【図６】本発明の実施形態１の底面図
【図７】図４のI−I線断面図
【図８】本発明の実施形態１の別の例の平面図
【図９】本発明の実施形態２の斜視図
【図１０】本発明の実施形態２の使用態様図
【図１１】本発明の実施形態２の正面図
【図１２】本発明の実施形態２の平面図
【図１３】本発明の実施形態２の右側面図
【図１４】本発明の実施形態２の底面図
【図１５】図１２のII−II線断面図（Ａ）及びＸ拡大図（Ｂ）
【図１６】本発明の実施形態３の斜視図
【図１７】本発明の実施形態４の斜視図
【図１８】本発明の実施形態４の使用態様図
【図１９】本発明の実施形態４の正面図
【図２０】本発明の実施形態４の平面図
【図２１】本発明の実施形態４の右側面図
【図２２】図２０のIII−III線断面図
【図２３】本発明の実施形態５の斜視図
【発明を実施するための形態】
【００１６】
図１乃至図８に基づいて本発明の実施形態１を説明する。
実施形態１のフラワーアレンジメント用の保持ブロック（以下保持ブロックという）１０は一定の大きさの発泡合成樹脂製の吸水材からなり、上面１１、側面１２及び底面１３からなる円板状（円柱状）であり、前記上面１１に花材を挿すための複数の位置マークＡ、Ｂ、Ｃを凹状に形成してある。
実施形態１の保持ブロック１０は、側面１２の高さを低くした円板状であるが、側面１２の高さを高くした円柱状として使用することもできる。
【００１７】
前記位置マークＡ、Ｂ、Ｃは上面１１に凹んだ状態で形成されているが、平面視でＡは四角形、Ｂは円形、Ｃは三角形である。この形状は四角形、円形、三角形が最も視認しやすいために採用したものであるが、これに限らず他の形状を用いることもでき、その数や大きさ、位置も任意に決定できる。  
本実施形態では、位置マークＡを上面１１の中心に配し、これを中心とした２個の同心円上に位置マークＢとＣを配置してある。位置マークＢとＣは３個ずつを交互に配置してあり、位置マークＡを中心とした点対称の位置に配置されている。
【００１８】
上記のように構成した実施形態１の作用を説明する。
使用者は位置マークＡ、Ｂ、Ｃのうち、予め決められたマークに花材１００を挿していくが、この位置マークは、Ａ、Ｂ、Ｃの順に難易度が高くなっていくため、使用者の熟練の度合いあるいは障害の程度や運動機能の段階によって挿すべき位置マークを決めていく。
【００１９】
花材１００を挿すときは、図２に示すように花材１００を位置マークＡ、Ｂ、Ｃの上から挿して底面１３に到達するまで差し込んでいく。そのため側面１２の高さが高いと差し込むのに力が必要であり、例えば初めは高さ３ｃｍのものから始め、順次高さを４ｃｍ、５ｃｍと高いものを使用することで、徐々に筋力が鍛えられていくという効果もある。
【００２０】
また花材としては、花の他に茎、枝のみでも使用でき、使用者の運動能力のレベルあるいは障害のレベル等によって使い分けるのである。さらに位置マークは色彩を施しても良く、この場合にはより位置マークの識別性が高くなる。
【００２１】
実施形態１の効果としては次のものがあげられる。
まず保持ブロック１０が円板状（円柱状）であるため、３６０度の全方向から均等に見ることができて視野が広くなり、位置マークＡ、Ｂ、Ｃが見やすい。そのため花材１００を挿しやすいという効果が生じ、指定された位置マークに合わせて花材１００を挿入でき、使用者の形の認識能力が向上する。  
また円柱形状の保持ブロックは、直方体形状の物より持ちやすく運ぶのに便利である。さらには上述の通り筋力の向上の効果があり、花材をつまむ力、握力、腕の力が強くなるのである。
【００２２】
図８は実施形態１の別の例の平面図である。
この別の例では、保持ブロック１０ａの形状は、前記実施形態１と同様であるが、上面１１ａの中心に位置マークＤを凹状に構成してある。  この位置マークＤは二重の円からなるもので(図１５（Ｂ）参照）、使用者の注意を最も喚起する形状である。使用者はまずこの位置マークＤに着目して最初の花材を挿すのである。その他の作用、効果は前記実施形態１と同様である。  
本例では、位置マークＤを上面１１ａの中心に配し、この位置マークＤを中心とした２個の同心円上に、４個の位置マークＣと８個の位置マークＢを等間隔に、かつ位置マークＤを中心とした点対称の位置に配置してある。
【００２３】
図９乃至図１５に基づいて本発明の実施形態２を説明する。
実施形態２の保持ブロック２０は、前記実施形態１の保持ブロック１０の上面の周縁部を全周にわたり斜めに切って傾斜側面２２を設けた形状であり、上面２１、傾斜側面２２、側面２３及び底面２４からなる円板状であり、前記上面２１と傾斜側面２２に花材１００を挿すための複数の位置マークＤ、Ｃ、Ａを凹状に形成してある。
前記位置マークＤは上面２１の中心に設け、その周囲の円上に８個の位置マークＣを等間隔に配置し、かつ傾斜側面２２全周に位置マークＡを等間隔に配置してある。位置マークＡ及び位置マークＣは位置マークＤを中心とした点対称の位置に配置されている。
【００２４】
本実施形態の作用は、前記実施形態１と同様であるが、傾斜側面２２に花材１００を挿すため実施形態１より複雑で高度な作業能力が要求される。本実施形態は実施形態１と同様の効果を奏すると共に、より高度な作業を行うことができるというメリットがある。
【００２５】
図１６に基づいて本発明の実施形態３を説明する。
実施形態３の保持ブロック３０は、前記実施形態２の保持ブロック２０の側面の高さを高くした形状であり、上面３１、傾斜側面３２、側面３３及び底面３４からなる円柱状であり、前記上面３１と傾斜側面３２に花材を挿すための複数の位置マークＤ、Ｃ、Ａ、Ｂを凹状に形成してある。
前記位置マークＤは上面３１の中心に設け、上面３１を中心とする円上に４個の位置マークＣを互いに等間隔に配置し、かつ傾斜側面３２全周に位置マークＡとＢを均等の間隔で配置してある。位置マークＡ、位置マークＢ及び位置マークＣは位置マークＤを中心とした点対称の位置に配置されている。
【００２６】
本実施形態の作用は実施形態２と同様であるが、側面３３が高くなったので上面３１と傾斜側面３２に正確に花材を挿すために、より高度な技術が要求されることになる。そのため実施形態２と同様の効果を奏すると共に、さらに高度なリハビリの訓練が可能となる。
【００２７】
図１７乃至図２２に基づいて本発明の実施形態４を説明する。
実施形態４の保持ブロック４０は、前記実施形態３の保持ブロックの側面の下端面を斜めに切って下部傾斜側面４４を設けたものであり、上面４１、上部傾斜側面４２、側面４３、下部傾斜側面４４及び底面４５を備えた円柱状である。
前記上面４１と上部傾斜側面４２、下部傾斜側面４４及び底面４５に花材１００を挿すための複数の位置マークＤ、Ｃ、Ｂ、Ａを凹状に形成してある。前記位置マークＤ、Ｃ、Ｂ、Ａの配置は、前記実施形態３と同様である。
【００２８】
本実施形態は実施形態３に比べて、下部傾斜側面４４及び底面４５にも花材を挿すことができる。
すなわち下部傾斜側面４４及び底面４５にも位置マークを構成したから、上面４１と上部傾斜側面４２を使用した後、再度使用するときに保持ブロック４０をひっくり返して底面４５を上側にすれば、底面４５及び下部傾斜側面４４の位置マークに花材を挿して使用することができる。そのため同じ保持ブロックを２度使用することができ省資源に貢献する。
【００２９】
図２３に基づいて本発明の実施形態５を説明する。
実施形態５の保持ブロック５０は、前記実施形態３の保持ブロックを上面５１から直角に縦方向に切断して垂直面５４を構成したものである。その他の構成は実施形態３と同様である。
【００３０】
本実施形態によれば、保持ブロック５０を室内に配置するときに垂直面５４を壁面に密着させることができるため保持ブロック５０が安定する等の効果がある。なお前記実施形態１、２及び４の保持ブロックにも前記と同様の垂直面を構成することができる。
【符号の説明】
【００３１】
Ａ  位置マーク              Ｂ  位置マーク    
Ｃ  位置マーク              Ｄ  位置マーク
１０  保持ブロック          １１  上面      
１２  側面                  １３  底面
２０  保持ブロック          ２１  上面      
２２  傾斜側面              ２３  側面
２４  底面                  ３０  保持ブロック  
３１  上面                  ３２  傾斜側面    
３３  側面                  ３４  底面
４０  保持ブロック          ４１  上面 
４２  上部傾斜側面          ４３  側面
４４  下部傾斜側面          ４５  底面  
５０  保持ブロック          ５１  上面   
５２  傾斜側面              ５３  側面  
５４  垂直面                ５５  底面
【要約】
【課題】  簡単な構成でありながらフラワーアレンジメントを容易に楽しめると共に、特に身体障害者や高齢者のように運動能力や体力の少ない人たちのリハリビ用として使用できるフラワーアレンジメントに用いられる保持ブロックを提供する。
【解決手段】  吸水材のみで構成されフラワーアレンジメントに用いられる保持ブロックであって、前記保持ブロックは、底面と上面及び側面からなる円柱形状であり、少なくとも前記上面に花材を挿すための複数の位置マークを形成したことを特徴とするフラワーアレンジメント用の保持ブロック。
【選択図】図１【図１】
0005943132.tif 000002
【図２】
0005943132.tif 000003
【図３】
0005943132.tif 000004
【図４】
0005943132.tif 000005
【図５】
0005943132.tif 000006
【図６】
0005943132.tif 000007
【図７】
0005943132.tif 000008
【図８】
0005943132.tif 000009
【図９】
0005943132.tif 000010
【図１０】
0005943132.tif 000011
【図１１】
0005943132.tif 000012
【図１２】
0005943132.tif 000013
【図１３】
0005943132.tif 000014
【図１４】
0005943132.tif 000015
【図１５】
0005943132.tif 000016
【図１６】
0005943132.tif 000017
【図１７】
0005943132.tif 000018
【図１８】
0005943132.tif 000019
【図１９】
0005943132.tif 000020
【図２０】
0005943132.tif 000021
【図２１】
0005943132.tif 000022
【図２２】
0005943132.tif 000023
【図２３】
0005943132.tif 000024